(57)【特許請求の範囲】
【請求項１】
筺体と、該筺体に保持され、ネジ部を設けた駆動軸と、前記筺体に保持され、導電パターンを設けた絶縁基板と、前記導電パターンに摺接する摺動子と、該摺動子を基板部の下面に保持すると共に、該基板部の下面の両側に突起を有する合成樹脂性の可動ブロックと、前記摺動子と別部材で形成されて前記可動ブロックの前記基板部上に係止されると共に、前記可動ブロックと前記駆動軸との間に配設され、上方に突出した突部を設けた板バネとを備え、該板バネの前記突部を前記駆動軸の前記ネジ部に弾接させ、前記駆動軸の回動で前記可動ブロックが駆動されると共に、前記突起が前記絶縁基板と当接して前記摺動子が前記導電パターンに弾接することを特徴とする回転駆動式電気部品。
【請求項２】
前記可動ブロックにひとつの保持部を設け、該保持部に前記駆動軸を挿通する孔を設け、前記保持部の前記孔に前記駆動軸を挿通したことを特徴とする請求項１記載の回転駆動式電気部品。
【請求項３】
前記可動ブロックに対向する一対の保持部を設け、該一対の保持部に前記駆動軸を挿通する孔を設け、前記保持部の前記孔に前記駆動軸を挿通したことを特徴とする請求項１記載の回転駆動式電気部品。
【請求項４】
前記可動ブロックの前記保持部によって前記板バネが係止されていることを特徴とする請求項２、又は３記載の回転駆動式電気部品。
【請求項５】
前記可動ブロックに孔を設け、該孔に対向する位置に前記板バネの前記突部と前記摺動子の前記接点部とが配設されていることを特徴とする請求項１、又は２、又は３、又は４記載の回転駆動式電気部品。
【発明の詳細な説明】
【０００１】
【発明の属する技術分野】
本発明は、回転駆動式電気部品に関する。
【０００２】
【従来の技術】
従来の回転駆動式電気部品について説明する。この説明は、電気部品としての可変抵抗器の駆動を駆動軸の回転によって行うものについてであって、以下、図面を用いて説明する。
図９は、従来の回転駆動式電気部品としての可変抵抗器を示す正面図、図１０は、その可動部を示す分解斜視図である。
図９、図１０に示すように、ケーシング５１は、成形材料を成形加工し、対向して配置された一対の支持ブロック５１ａを有する。
抵抗基板５２は、絶縁材料から成り、平板状で、その表面には、図示していない抵抗体が形成され、支持ブロック５１ａの間に掛け渡すように取り付けられている。
【０００３】
駆動軸５３は、金属材料から成り、切削加工し、操作・駆動用のネジ部５３ａと、支持部５３ｂとを有する。また、駆動軸５３は、抵抗基板５２に並列で、且つ、ケーシング５１の支持ブロック５１ａに取り付けられ、支持部５３ｂの端部は支持ブロック５１ａを挿通して外方に突出されている。
可動ブロック５４は、図１０に示すように、電気絶縁性の材料から成り、略矩形に成形加工し、両側面にそれぞれ設けられた一対の略矩形の突部６０と、上面に設けられた溝部５４ａと、下面に設けられた切り欠き部５４ｂとを有している。
【０００４】
摺動子５６は、弾性を有する金属板から成り、略コの字状にプレス加工し、略中央部に接点部５７を有する。また、この摺動子５６は、両端部が可動ブロック５４の切り欠き部５４ｂに係止されている。また、摺動子５６の接点部５７は、抵抗基板５２の抵抗体に弾接して配置されている。
【０００５】
保持部材５５は、弾性を有する線状の金属材料から成り、折り曲げ加工によって形成し、両端部に形成された一対の略コ字状の係止部５８と、係止部５８を繋ぐ直線状の接続部５９とから成る。そして、この一対の係止部５８を可動ブロック５４の両側面にそれぞれ設けられた突部６０に弾性的に嵌合させ、接続部５９を可動ブロック５４の上面で駆動軸５３のネジ部５３ａのネジ山間に挟み込んで駆動軸５３の回動を可動ブロック５４に伝えて、可動ブロック５４を駆動軸５３の軸芯方向（長手方向）に移動する。この可動ブロック５４の移動で、可動ブロック５４に係止された摺動子５６の接点部５７が抵抗体上を摺接し、この摺接で抵抗値が増加（又は減少）する。なお、この保持部材５５は、係止部５８と接続部５９との折り曲げ方向がそれぞれ異なることから複雑な構成で、加工作業が複雑となる。
【０００６】
次に、上述の回転駆動式電気部品の組み立てについて説明する。
先ず、ケーシング５１の一対の支持ブロック５１ａの間に掛け渡すように駆動軸５３を回動可能に係合する。次に、可動ブロック５４の切り欠き部５４ｂに摺動子５６を係合する。次に、この摺動子５６が係止された可動ブロック５４の溝部５４ａを駆動軸５３のネジ部５３ａに図示しない治具にて係合させた状態で保持し、この状態で掛け渡された駆動軸５３の上方から保持部材５５の接続部５９をネジ部５３ａのネジ山間に係合させると共に、保持部材５５の係止部５８を可動ブロック５４の突部６０に係合する。
【０００７】
次に、支持ブロック５１ａに駆動軸５３の軸芯方向と平行になるように抵抗基板５２を固着する。このとき抵抗基板５２の抵抗体が摺動子５６の接点部５７に弾接されるように抵抗基板５２を組み込むようにする。最後に、ケーシング５１の上側の開口を塞ぎ、且つ、抵抗基板５２を保持する図示しない枠体を取り付ける。
このようして組み立ては完了する。
【０００８】
【発明が解決しようとする課題】
しかしながら、従来の回転駆動式電気部品は、可動ブロック５４を駆動するための支持部材５５が、弾性を有する線状の金属材料から成り、折り曲げ加工によって形成し、両端部に形成された一対の略コ字状の係止部５８と、係止部５８を繋ぐ直線状の接続部５９とから構成されており、保持部材５５の接続部５９が、駆動軸５３のネジ部５３ａの上側のネジ山に配置され、駆動軸５３が支持部材５５と可動ブロック５４とによって挟まれて配設されていることから、駆動軸５３及び可動ブロック５４への保持部材５５の組み込みは、駆動軸５３と可動ブロック５４とを同時に治具などで保持し、相互の配置を定めておき、その状態で、保持部材５５をバネ力に抗して突部６０に係合することが必要であって、手間が掛かるという問題があった。
また、保持部材５５をケーシング５１の上方から係合する都合上、ケーシング５１には開口が必要であり、その開口を塞ぐためには、枠体などの別部品が必要になるという問題があった。
【０００９】
そこで、本発明の回転駆動式電気部品では、上述の問題点を解決するものであり、その目的は、組み込みが容易な回転駆動式電気部品を提供することである。
【００１０】
【課題を解決するための手段】
本発明の回転駆動式電気部品は、筺体と、該筺体に保持され、ネジ部を設けた駆動軸と、筺体に保持され、導電パターンを設けた絶縁基板と、導電パターンに摺接する摺動子と、該摺動子を基板部の下面に保持すると共に、該基板部の下面の両側に突起を有する合成樹脂性の可動ブロックと、摺動子と別部材で形成されて可動ブロックの基板部上に係止されると共に、可動ブロックと駆動軸との間に配設され、上方に突出した突部を設けた板バネとを備え、該板バネの突部を駆動軸のネジ部に弾接させ、駆動軸の回動で可動ブロックが駆動されると共に、突起が絶縁基板と当接して摺動子が導電パターンに弾接することである。
【００１１】
また、本発明の回転駆動式電気部品は、可動ブロックにひとつの保持部を設け、該保持部に駆動軸を挿通する孔を設け、保持部の孔に駆動軸を挿通したことである。
また、本発明の回転駆動式電気部品は、可動ブロックに対向する一対の保持部を設け、該一対の保持部に駆動軸を挿通する孔を設け、保持部の孔に駆動軸を挿通したことである。
【００１２】
また、本発明の回転駆動式電気部品は、可動ブロックの保持部によって板バネが係止されていることである。
また、本発明の回転駆動式電気部品は、可動ブロックに孔を設け、該孔に対向する位置に板バネの突部と摺動子の接点部とが配設されていることである。
【００１３】
【発明の実施の形態】
以下、本発明の回転駆動式電気部品の実施に形態について図面を用いて説明する。図１は、本発明の回転駆動式電気部品を示す断面図、図２は、本発明の回転駆動式電気部品に係わる摺動子が固着された可動ブロックを示す正面図、図３は、図２の平面図、図４は、図２の側面図、図５は、本発明の回転駆動式電気部品に係わる板バネを示す平面図、図６は、図５の側面図である。
【００１４】
図１〜図６に示すように、回転駆動式電気部品の第１の筺体１は、絶縁成形材料から成り、成形加工で形成され、対向する上壁１ａ、及び下壁１ｂと、上壁１ａと下壁１ｂとを繋ぐ短手方向の一方の側壁１ｃと、図示していない長手方向の対向する一対の側壁と、側壁１ｃに対向する開放部１ｄとを有している。また、側壁１ｃには、外方に突出する凸部１ｅと、凸部１ｅを貫通する小径孔部と中径孔部とからなる円形の孔１ｆとが設けられている。
【００１５】
第２の筺体２は、絶縁成形材料から成り、成形加工し、段部２ｆが設けられた上壁２ａと、該上壁２ａと対向する下壁２ｂと、上壁２ａと下壁２ｂとを繋ぐ一方の側壁２ｃと、図示していない対向する一対の側壁と、側壁２ｃに対向する開放部２ｄとを有している。また、側壁２ｃの内壁側には、円形の穴２ｅが設けられている。また、第２の筺体２の開放部２ｄと、第１の筺体１の開放部１ｄとは連通するように配置され、例えば、スナップイン形式など所望な形式で一体と成るように結合されて、ひとつの略密閉された筺体を構成する。
【００１６】
駆動軸３は、例えば、金属材料から成り、略棒状に切削加工し、両方の端部の円柱状の小径部３ａ、３ｂと、一方の小径部３ａに連設され、小径部３ａより少し直径が大きい円柱状の中径部３ｃと、中径部３ｃに連設され、中径部３ｃより少し直径が大きい円柱状の大径部３ｄと、大径部３ｄに連設されたネジ部３ｅとを有している。また、ネジ部３ｅと他方の小径部３ｂとは連設されている。また、駆動軸３の一方の小径部３ａと中径部３ｃとは、第１の筺体１の凸部１ｅの孔１ｆに貫通するように配設され、小径部３ａの先端部は、側壁１ｃから外方に突出され、また、他方の小径部３ｂの先端部は、第２の筺体２の側壁２ｃの穴２ｅに係止されている。そして、大径部３ｄとネジ部３ｅとは、第１の筺体１と第２の筺体２とに収納されている。即ち、駆動軸３は、第１の筺体１と第２の筺体２とによって、回動可能に保持されている。
【００１７】
絶縁基板４は、絶縁成形材料から成り、平板状に形成され、絶縁基板４の上面には、図示していないが抵抗体インクなどを印刷形成した複数本の導電パターンが配置されている。また、それぞれの導電パターンの端部には、ハトメ５が導電パターンに当接されて配置されており、このとき、絶縁基板４の下面には、ハトメ５を有し、該ハトメ５によって絶縁基板４にカシメ付けられた複数本のコの字状の端子６が固着されている。
この絶縁基板４は、第１の筺体１の図示しない一対の側壁に設けた溝にガイドされて保持される。また、その状態では、コの字状の端子６は、第２の筺体２の開放部２ｄから第２の筺体２の外部に導出され、端子６の先端部は、第２の筺体２の下壁２ｂの外壁に沿って第２の筺体２の側壁２ｃ方向に突出されている。この端子６の先端部は、雄型のコネクタ部を構成している。
【００１８】
可動ブロック７は、図２〜図４に示すように、合成樹脂性の絶縁成形材料から成り、成形加工によって形成され、略矩形の基板部７ａと、基板部７ａから上方に突出して設けられ、平行に対向された一対の保持部７ｅとを有している。
また、基板部７ａには、略中央部に設けられた矩形の孔７ｂと、一方の端部に設けられた矩形の切り欠き部７ｃとが設けられ、また、保持部７ｅには、基板部７ａの表面と平行な中心軸を有する円形の孔７ｄが設けられている。
また、一対の保持部７ｅは、矩形の孔７ｂを挟んで対向するように配置されている。また、基板部７ａの下面には、図示していないが円柱状の凸部が形成されている。更に、基板部７ａの下面の両側には、突起７ｆが設けられている。
そして、一対の保持部７ｅのそれぞれの孔７ｄには、駆動軸３のネジ部３ｅが挿通され、可動ブロック７は、駆動軸３の軸芯方向に移動自在に係合されている。
【００１９】
摺動子８は、リン青銅板などの弾性を有する金属板から成り、打ち抜き・折り曲げ加工し、一方の端部に設けられた複数個の略半円状の接点部８ａと、他方の端部に設けられたそれぞれの接点部８ａを保持する保持部８ｂとを有する。また、保持部８ｂには、略中央部に円形の孔（図示せず）が設けられている。この摺動子８は、保持部８ｂの孔を可動ブロック７の基板部７ａの下面の凸部に係止し、カシメて、摺動子８が可動ブロック７に固着されている。この固着された状態のとき、摺動子８の接点部８ａは、可動ブロック７の基板部７ａに設けられた孔７ｂに対向する位置に配置されており、接点部８ａが撓んで上方に押し上げられたとき接点部８ａは孔７ｂ内に配置される。
【００２０】
板バネ９は、図５〜図６に示すように、リン青銅板などの弾性を有する金属板から成り、打ち抜き・折り曲げ加工し、略Ｉ字状であって、保持部９ａと、該保持部９ａの略中央部に形成され、上方に突出した半球状の突部９ｂと、略エ字状の四方の端部に形成され、内側に突出した半円状の係止部９ｃとを有する。また、この板バネ９は、全体が、円弧状に反り返るように形成されており、円弧状の頂点に前記突部９ｂは形成されている。そして、この板バネ９は、突部９ｂを上面側として、保持部９ａが可動ブロック７の基板部７ａの孔７ｂを塞ぐように基板部７ａ上に載置されている。このとき板バネ９の係止部９ｃは、それぞれの保持部７ｅの側壁に食い込むように係止されている。また、係止された状態では、上方に突出した突部９ｂは、基板部７ａの孔７ｂの上方に配置されている。
なお、この板バネ９は、前述の如くほぼ平板状であることから加工が簡単である。
【００２１】
上述の如く、摺動子８と板バネ９とが係止された可動ブロック７は、駆動軸３のネジ部３ｅが可動ブロック７の一対の保持部７ｅの孔７ｄに挿通された状態で、可動ブロック７が駆動軸３の軸芯方向に往復移動ができるように配置されている。また、この状態のとき可動ブロック７に係止された板バネ９は、可動ブロック７と前記駆動軸３との間に配設され、突部９ｂが、ネジ部３ｅの谷部に弾接された状態で係合され、突起７ｆが絶縁基板４に当接して、可動ブロック７が駆動軸３の回りを回転しないようにしてあり、また、突起７ｆによって、摺動子８の接点部８ａのみが、絶縁基板４の導電パターン（図示せず）に弾接するように配置されている。
【００２２】
次に、この回転駆動式電気部品の組み立てについて説明する。
まず、第１の筺体１の図示しない側壁のガイド溝に導電パターンや端子６が形成された絶縁基板４を挿入する。次に、可動ブロック７の基板部７ａの下面に摺動子８を固着し、また、基板部７ａの上面に板バネ９を突部９ｂが上方に突出した状態で載置すると共に、板バネ９を保持部７ｅに係止する。次に、この可動ブロック７の保持部７ｅの孔７ｄに駆動軸３のネジ部３ｅを挿通して、可動ブロック７への駆動軸３の組み込みをする。このとき可動ブロック７に係止されている板バネ９の突部９ｂは、ネジ部３ｅの谷部に係合された状態で配置される。
次に、駆動軸３が可動ブロック７に挿通された状態で、駆動軸３の小径部３ａと中径部３ｃとを第１の筺体１の側壁１ｃの孔１ｆに挿通する。このとき駆動軸３の小径部３ａの先端部は、側壁１ｃから外方に突出される。
また、この状態のとき、可動ブロック７に固着された摺動子８の接点部８ａは、絶縁基板４の導電パターンに弾接されている。
【００２３】
次に、第１の筺体１の開放部１ｄに、第２の筺体２の開放部２ｄを重ね合わせるように配置し、この配置によって、第１の筺体１と第２の筺体２とは係合され、一体化される。このとき、第２の筺体２の側壁２ｃの穴２ｅに駆動軸３の小径部３ｂが係止される。また、第２の筺体２の下壁２ｂは、コの字状の端子６に突き合わされ、これによって端子６が固着された絶縁基板４が、筺体内に固着される。
また、このとき端子６の先端部は筺体の外部に配置される。これによって、回転駆動式電気部品の組み立ては、完了する。
【００２４】
次に、この回転駆動式電気部品の動作について説明する。
先ず、第１の筺体１の側壁１ｃの孔１ｆから外方に突出している駆動軸３の小径部３ａを例えば時計方向に回動させると、駆動軸３のネジ部３ｅが同様の回動をする。このネジ部３ｅの時計方向への回動によって、ネジ部３ｅの谷部に係合している板バネ９の突部９ｃが駆動軸３の軸芯方向（図１の左方向）に駆動され、この突部９ｃが駆動されることで板バネ９が係止されている可動ブロック７が駆動軸３の軸芯方向に駆動される。そして、可動ブロック７に固着された摺動子８の接点部８ａが、絶縁基板４の導電パターン上を摺動する。この接点部８ａの導電パターン上の摺動で端子６から出力される例えば抵抗値が増加（又は減少）される。
【００２５】
そして、駆動軸３の小径部３ａを更に時計方向に回動させると可動ブロック７は、更に軸芯方向（図１の左方向）に駆動され、やがて可動ブロック７の保持部７ｅが駆動軸３の大径部３ｄに当接されて、可動ブロック７の駆動は妨げられる。この可動ブロック７が大径部３ｄに当接された状態で、更に小径部３ａを時計方向に回動させると、可動ブロック７に係止されている板バネ９の突部９ｃがネジ部３ｅの山部を乗り越えるように動作し、可動ブロック７が駆動されることなく小径部３ａは回動することが出来る。この板バネ９の突部９ｃがネジ部３ｅの山部を乗り越えるとき、突部９ｃは、板バネ９のバネ性に抗して、下方に押し下げられ、突部９ｃは、可動ブロック７の孔７ｂ内に配置された状態となり、山部を乗り越え終わると突部９ｃは、再びネジ部３ｅの谷部に係合された状態となる。
【００２６】
即ち、可動ブロック７の孔７ｂは、板バネ９の突部９ｃの下方への移動の際に、移動を妨げることのないように形成されている。
そして、本実施例においては、ネジ部３ｅは２条のネジ山で形成しており、駆動軸３の小径部３ａを反時計方向に多くとも半回転回動させれば可動ブロック７は、ネジ山に係合し、更に回動させると前述の駆動方向とは反対の軸芯方向（図１の右方向）に駆動され、やがて可動ブロック７の保持部７ｅが第２の筺体２の上壁２ａの段部２ｆに当接されて、可動ブロック７の駆動が出来なくなる。この状態で、駆動軸３の小径部３ａを更に回動させると前述と同様に、板バネ９の突部９ｃが駆動軸３のネジ部３ｅの山部を乗り越えるように移動され、可動ブロック７は、移動しない状態で保持される。
【００２７】
このように駆動軸３の小径部３ａを可動ブロック７の駆動範囲以上に回動しても可動ブロック７に係止された板バネ９の突部９ｃがネジ部３ｅの山部を乗り越えるように上下方向に移動することで、この回転駆動式電気部品が駆動軸３の回動のさせすぎによって壊れることはない構成である。
また、大径部３ｄとネジ部３ｅとの寸法比率を変えることによって、種々のストロークに対応出来る。
【００２８】
次に、本発明の回転駆動式電気部品に係わる第二の実施の形態の板バネについて説明する。図７は、本発明の回転駆動式電気部品に係わる第二の実施の形態の板バネを示す平面図である。
この第二の実施の形態の板バネにおいて、前記第一の実施の形態の板バネと異なる構成は、第一の実施の形態の板バネ９の全体形状が、略Ｉ字状であって、Ｉ字状の四方の端部のそれぞれに半円状の係止部９ｃ（合計４個）が形成されているのに対して、第二の実施の形態の板バネ１０は、右側の２カ所の係止部９ｃを削除した形状としている。
【００２９】
そして、この板バネ１０は、リン青銅板などの弾性を有する金属板から成り、打ち抜き・折り曲げ加工し、略コ字状であって、保持部１０ａと、該保持部１０ａの略中央部に形成された半球状の突部１０ｂと、先端部に形成され、内側に突出した半円状の係止部１０ｃとを有する。また、この板バネ１０は、全体が、円弧状に形成されており、円弧状の頂点に前記突部１０ｂは配置されている。
【００３０】
また、この板バネ１０は、保持部１０ａが可動ブロック７の基板部７ａの孔７ｂを塞ぐように基板部７ａ上に載置されている。このとき板バネ１０の係止部１０ｃは、ひとつの保持部７ｅの側壁に食い込むように係止されている。
【００３１】
次に、本発明の回転駆動式電気部品に係わる第三の実施の形態の板バネについて説明する。図８は、本発明の回転駆動式電気部品に係わる第三の実施の形態の板バネを示す平面図である。
この第三の実施の形態の板バネにおいて、前記第一の実施の形態の板バネと異なる構成は、第一の実施の形態の板バネ９の全体形状が、略Ｉ字状であって、Ｉ字状の四方の端部のそれぞれに半円状の係止部９ｃ（合計４個）が形成されているのに対して、第三の実施の形態の板バネ１１の全体形状は、略Ｓ字状であって、Ｓ字状の一対の端部のそれぞれに半円状の係止部１１ｃ（合計２個）が形成されていることである。
【００３２】
そして、この板バネ１１は、リン青銅板などの弾性を有する金属板から成り、打ち抜き・折り曲げ加工し、保持部１１ａと、該保持部１１ａの略中央部に形成された半球状の突部１１ｂと、該突部１１ｂに対して点対称の位置に形成され、内側に突出した半円状の係止部１１ｃとを有する。また、この板バネ１１は、全体が、円弧状に形成されており、円弧状の頂点に前記突部１１ｂは配置されている。
【００３３】
なお、本発明の回転駆動式電気部品に係わる可動ブロック７の保持部７ｅは、平行に対向された一対の保持部７ｅとした実施の形態について説明したが、これに限定されず保持部をひとつのみ形成した可動ブロック７としても良い。
【００３４】
【発明の効果】
以上のように本発明の回転駆動式電気部品は、筺体と、該筺体に保持され、ネジ部を設けた駆動軸と、筺体に保持され、導電パターンを設けた絶縁基板と、導電パターンに摺接する摺動子と、該摺動子を基板部の下面に保持すると共に、該基板部の下面の両側に突起を有する可動ブロックと、摺動子と別部材で形成されて可動ブロックの基板部上に係止されると共に、可動ブロックと駆動軸との間に配設され、上方に突出した突部を設けた板バネとを備え、該板バネの突部を駆動軸のネジ部に弾接させ、駆動軸の回動で可動ブロックが駆動されると共に、突起が絶縁基板と当接して摺動子が導電パターンに弾接することから、板バネは、可動ブロックに係止され、可動ブロックと駆動軸との間に配設されているので可動ブロックへの板バネの係止作業は、駆動軸の配置と関連することなく個別に容易に出来るという効果を奏する。
【００３５】
また、本発明の回転駆動式電気部品は、可動ブロックにひとつの保持部を設け、保持部に駆動軸を挿通する孔を設け、保持部の孔に駆動軸を挿通したことから、可動ブロックと駆動軸とが一体化でき、この一体化された可動ブロックと駆動軸との筺体への組み込みが容易に出来る。
【００３６】
また、本発明の回転駆動式電気部品は、可動ブロックに対向する一対の保持部を設け、一対の保持部に駆動軸を挿通する孔を設け、保持部の孔に駆動軸を挿通したことから、可動ブロックが、駆動軸に安定した状態で配置され、可動ブロックの駆動軸による駆動が安定して行うことが出来る。
【００３７】
また、本発明の回転駆動式電気部品は、可動ブロックの保持部によって板バネが係止されていることから、駆動軸と可動ブロックとを一体化する保持部を板バネの係止にも兼用するので部品点数が少なくて済むことが出来る。
【００３８】
また、本発明の回転駆動式電気部品は、可動ブロックに孔を設け、孔に対向する位置に板バネの突部と摺動子の接点部とが配設されていることから、板バネの突部と摺動子の接点部とがそれぞれの弾性によって、撓んで孔の方向に突部と接点部とが移動しても孔内に配置されることが出来るので、移動量に対応した余分なスペースを設ける必要がないことから回転駆動式電気部品を小型化することが出来る。
【図面の簡単な説明】
【図１】本発明の回転駆動式電気部品を示す断面図である。
【図２】本発明の本発明の回転駆動式電気部品に係わる摺動子が固着された可動ブロックを示す正面図である。
【図３】図２の平面図である。
【図４】図２の側面図である。
【図５】本発明の回転駆動式電気部品に係わる板バネを示す平面図である。
【図６】図５の側面図である。
【図７】本発明の回転駆動式電気部品に係わる板バネの第二の実施の形態を示す平面図である。
【図８】本発明の回転駆動式電気部品に係わる板バネの第三の実施の形態を示す平面図である。
【図９】従来の回転駆動式電気部品を示す正面図である。
【図１０】従来の回転駆動式電気部品に係わる可動部を示す分解斜視図である。
【符号の説明】
１  第１の筺体
１ｅ  凸部
１ｆ  孔
２  第２の筺体
２ｅ  穴
３  駆動軸
３ｅ  ネジ部
４  絶縁基板
６  端子
７  可動ブロック
７ａ  基板部
７ｄ  孔
７ｅ  保持部
８  摺動子
８ａ  接点部
９  板バネ
９ｂ  突部
９ｃ  係止部
【図１】
0003612207.tif 000002
【図２】
0003612207.tif 000003
【図３】
0003612207.tif 000004
【図４】
0003612207.tif 000005
【図５】
0003612207.tif 000006
【図６】
0003612207.tif 000007
【図７】
0003612207.tif 000008
【図８】
0003612207.tif 000009
【図９】
0003612207.tif 000010
【図１０】
0003612207.tif 000011